(57)【要約】  本発明のウエイトトレーニングマシンは、重量を選択して加減することができるデッドリフトまたはベントオーバーローのウエイトトレーニングを行うためのマシンにおいて、重量板が上下に積層され、動作部の両方にそれぞれ備えられる一対の胴体部と、前記一対の胴体部の間に備えられて上下に動くことが可能な動作部と、前記胴体部と動作部とを互いに連結して前記動作部を上下に動かすことによって前記重量板を上下に移動させることができるケーブルプーリ部と、を含み、使用者が動作部を上下に動作させて一対のケーブルプーリ部のケーブルを移動させることによって、ケーブルと連結された胴体部の重量板を上下に動かしてウエイトトレーニングを行うことができる。以上のような本発明の効果は、本発明の目的は、運動者がウエイトトレーニング中にデッドリフト及びベントオーバーローなどを行おうとする時に重量を容易に加減可能とし、基本姿勢を容易に覚えることができるようにして負傷を減らすことができるウエイトトレーニングマシンを提供することができる。
2018531718.tif 000002
【特許請求の範囲】
【請求項１】
重量を選択して加減することができるデッドリフトまたはベントオーバーローのウエイトトレーニングを行うためのマシンにおいて、
重量板が上下に積層され、動作部の両方にそれぞれ備えられる一対の胴体部と、
前記一対の胴体部の間に備えられて上下に動くことが可能な動作部と、
前記胴体部と動作部とを互いに連結して前記動作部を上下に動かすことによって前記重量板を上下に移動させることができるケーブルプーリ部とを含み、
使用者が動作部を上下に動作させて一対のケーブルプーリ部のケーブルを移動させることによってケーブルと連結された胴体部の重量板を上下に動かしてウエイトトレーニングを行うことができることを特徴とするウエイトトレーニングマシン。
【請求項２】
前記動作部は、
前記胴体部の間に備えられ、棒状に形成されたマシン固定動作バーと、
前記マシン固定動作バーの両方の下側に前記ケーブルプーリ部のケーブルが連結されるバーリングと、
前記マシン固定動作バーの両方の両側に、前記マシン固定動作バーが上下に動くことができるように垂直に設置された一対のバーレール柱と、
前記マシン固定動作バーの両側に結合され、前記一対のバーレール柱が挿入される柱移動ホールが形成された柱結合部とを含み、
前記マシン固定動作バーは、前記一対の胴体部の間で一側と他側がそれぞれケーブルプーリ部のケーブルにより連結されて上下に動くことができると同時に、前記ケーブルに連結された胴体部の重量板が上下に移動されることを特徴とする、請求項１に記載のウエイトトレーニングマシン。
【請求項３】
前記柱結合部は、前記バーレール柱が挿入される柱移動ホールが分離されるようになされた一対の柱結合体と、
前記一対の柱結合体の一側の外側面にそれぞれ結合されるヒンジと、
前記一対の柱結合体の他側を貫通するボルト及び前記ボルトの一端に結合されるナットとを含み、
前記ボルトとナットの結合によって、前記柱移動ホールの内周面とバーレール柱の外周面との間に離隔隙間の形成が可能であり、前記柱結合体がバーレール柱に結合される位置の調節が可能であることを特徴とする、請求項２に記載のウエイトトレーニングマシン。
【請求項４】
前記胴体部は、
中央に上下方向に棒ホールが貫通形成され、側面に板固定台溝が形成され、両側に上下方向に一対の板作動レール柱が設置されるように柱ホールが貫通形成された重量板と、
前記重量板が積層される重量板受け台と、
前記柱結合部の下部に備えられる第１プーリと、
前記重量板受け台と第１プーリとの間に備えられる第２プーリと、
前記重量板受け台を貫通して備えられて、前記重量板が上下に移動されるようにガイドする板作動レール柱と、
前記第２プーリの上部に備えられる第３プーリ及び前記重量板の上部に備えられる第４プーリとを含むことを特徴とする、請求項２に記載のウエイトトレーニングマシン。
【請求項５】
前記ケーブルプーリ部は、
前記重量板の棒ホールに挿入され、長手方向に棒板固定ホールが形成された固定作動棒と、
前記重量板の板固定台溝と前記固定作動棒の棒板固定ホールに挿入されて前記重量板を前記固定作動棒に結合させる固定台と、
一端が前記固定作動棒の上部に結合され、他端が前記第４プーリ、第３プーリ、第２プーリ及び第１プーリを順次通過して前記マシン固定動作バーのバーリングにケーブルリングで結合されたケーブルとを含み、
前記マシン固定動作バーを上下に移動させると、連結されたケーブルが固定作動棒を上下に移動させると同時に、前記固定台で結合された重量板が上下に移動されてウエイトトレーニングが可能であることを特徴とする請求項４に記載のウエイトトレーニングマシン。
【請求項６】
前記動作部は、
前記マシン固定動作バーの下側に設置されるが、バー受け台ボルトで前記胴体部に設置されて上部に前記マシン固定動作バーが載置されるバー受け台をさらに含み、
前記バー受け台は、上側面に前記バーレール柱の下端が差し込まれてバーレール柱が固定されるバー柱固定溝が形成されたことを特徴とする請求項１に記載のウエイトトレーニングマシン。
【発明の詳細な説明】
【技術分野】
【０００１】
本発明によるウエイトトレーニングマシンに関し、さらに好ましくは、重さを加減可能な重量板とケーブルを引いて動作を行うことができるようにする動作バーをケーブルで連結してウエイトトレーニング中にデッドリフト及びベントオーバーローなどの動作を取ることができるようにするウエイトトレーニングマシンに関する。
【背景技術】
【０００２】
一般的に運動器具は、上体鍛練用運動器具と下体鍛練用運動器具とに区分されており、これらの運動器具には、使用者によって適切に重さを調節することができる重量体が備えられて重量体により使用者の上体または下体の筋肉運動がなされるようにしている。
【０００３】
例えば、下体運動器具は、使用者の下体部分のふくらはぎの筋肉と太ももの筋肉を強化させる運動器具であり、上体運動器具は、使用者の背中の筋肉と肩の筋肉を強化するか、または使用者の腕の筋肉を強化させる運動器具である。
【０００４】
このようなウエイトトレーニング中、デッドリフトやベントオーバーローなどは使用者に合わせて重量バーにバーベル及び重量円盤を嵌め込んで使用することができる。
【０００５】
図１は、従来の運動方法を示した図である。
【０００６】
図１によれば、しかしながら、重量のバーベルや重量円盤を重量バーに重量を加減するためにバーベルや重量円盤を取り外したり、嵌め込む時に使用者がバーベルや重量円盤の重さに耐えづらいという問題点があった。
【０００７】
また、使用者が運動する時に基本姿勢のバランスが崩れることが頻繁に発生し、それによって使用者が負傷し得るという問題点があった。
【０００８】
また、ウエイトトレーニングマシンを利用してデッドリフトやベントオーバーローなどを行おうとする時には、引張力を重量の数値で示すことが難しく、これを重量の数値で示すことができるとしても制限があるため、自由に重量を加減することができないという不便な問題などがあった。
【発明の概要】
【発明が解決しようとする課題】
【０００９】
前述のような問題点を解決するために考案された本発明の目的は、運動者がウエイトトレーニング中にデッドリフトやベントオーバーローなどを行おうとする時に重量を容易に加減可能とし、基本姿勢を容易に覚えることができるようにして負傷を減らすことができるウエイトトレーニングマシンを提供することにある。
【課題を解決するための手段】
【００１０】
前述のような目的を達成するための本発明のウエイトトレーニングマシンは、重量を選択して加減することができるデッドリフトまたはベントオーバーローのウエイトトレーニングを行うためのマシンにおいて、重量板が上下に積層され、動作部の両方にそれぞれ備えられる一対の胴体部と、前記一対の胴体部の間に備えられて上下に動くことが可能な動作部と、前記胴体部と動作部とを互いに連結して前記動作部を上下に動かすことによって前記重量板を上下に移動させることができるケーブルプーリ部とを含み、使用者が動作部を上下に動作させて一対のケーブルプーリ部のケーブルを移動させることによってケーブルと連結された胴体部の重量板を上下に動かしてウエイトトレーニングを行うことができる。
【００１１】
そして、前記動作部は、前記胴体部の間に備えられ、棒状に形成されたマシン固定動作バーと、前記マシン固定動作バーの両方の下側に前記ケーブルプーリ部のケーブルが連結されるバーリングと、前記マシン固定動作バーの両方の両側に、前記マシン固定動作バーが上下に動くことができるように垂直に設置された一対のバーレール柱と、前記マシン固定動作バーの両側に結合され、前記一対のバーレール柱が挿入される柱移動ホールが形成された柱結合部とを含み、前記マシン固定動作バーは、前記一対の胴体部の間で一側と他側がそれぞれケーブルプーリ部のケーブルにより連結されて上下に動くことができると同時に、前記ケーブルに連結された胴体部の重量板が上下に移動される。
【００１２】
また、前記柱結合部は、前記バーレール柱が挿入される柱移動ホールが分離されるようになされた一対の柱結合体と、前記一対の柱結合体の一側の外側面にそれぞれ結合されるヒンジと、前記一対の柱結合体の他側を貫通するボルト及び前記ボルトの一端に結合されるナットを含み、前記ボルトとナットの結合によって、前記柱移動ホールの内周面とバーレール柱の外周面との間に離隔隙間の形成が可能であり、前記柱結合体がバーレール柱に結合される位置の調節が可能である。
【００１３】
そして、前記胴体部は、中央に上下方向に棒ホールが貫通形成され、側面に板固定台溝が形成され、両側に上下方向に一対の板作動レール柱が設置されるように柱ホールが貫通形成された重量板と、前記重量板に積層される重量板受け台と、前記柱結合部の下部に備えられる第１プーリと、前記重量板受け台と第１プーリとの間に備えられる第２プーリと、前記重量板受け台を貫通して備えられて、前記重量板が上下に移動されるようにガイドする板作動レール柱と、前記第２プーリの上部に備えられる第３プーリ及び前記重量板の上部に備えられる第４プーリとを含む。
【００１４】
また、前記ケーブルプーリ部は、前記重量板の棒ホールに挿入され、長手方向に棒板固定ホールが形成された固定作動棒と、前記重量板の板固定台溝と前記固定作動棒の棒板固定ホールに挿入されて前記重量板を前記固定作動棒に結合させる固定台及び一端が前記固定作動棒の上部に結合され、他端が前記第４プーリ、第３プーリ、第２プーリ及び第１プーリを順次通過して前記マシン固定動作バーのバーリングにケーブルリングで結合されたケーブルを含み、前記マシン固定動作バーを上下に移動させると、連結されたケーブルが固定作動棒を上下に移動させると同時に、前記固定台で結合された重量板が上下に移動されてウエイトトレーニングが可能である。 
【００１５】
そして、前記動作部は、前記マシン固定動作バーの下側に設置されるが、バー受け台ボルトで前記胴体部に設置されて上部に前記マシン固定動作バーが載置されるバー受け台をさらに含み、前記バー受け台は、上側面に前記バーレール柱の下端が差し込まれてバーレール柱が固定されるバー柱固定溝が形成される。
【発明の効果】
【００１６】
以上のような本発明の効果は、運動者がウエイトトレーニング中にデッドリフト及びベントオーバーローなどを行おうとする時に重量を容易に加減可能とし、基本姿勢を容易に覚えることができるようにして負傷を減らすことができるウエイトトレーニングマシンを提供することができる。
【図面の簡単な説明】
【００１７】
【図１】従来の運動方法を示した図である。
【図２】発明の好ましい実施例によるウエイトトレーニングマシンを示した正面図である。
【図３】本発明の好ましい実施例によるウエイトトレーニングマシンの中央内側を示した正面図である。
【図４】本発明の好ましい実施例によるウエイトトレーニングマシンの内部及び部分断面図である。
【図５】本発明の好ましい実施例によるウエイトトレーニングマシンのサイド外側の正面図である。
【発明を実施するための形態】
【００１８】
本発明の利点及び特徴、そしてそれらを達成する方法は、添付の図面と共に詳細に後述されている実施例を参照すれば明確なる。しかしながら、本発明は、以下で開示される実施例に限られるものではなく、互いに異なる多様な形態で具現されることができ、単に本実施例は本発明の開示を完全にするためのものであって、本発明が属する技術分野において通常の知識を有する者にとって発明の範囲を完全に知らせるために提供されるものであり、本発明は特許請求の範囲により定義されるべきである。明細書全体にわたって同一の参照符号は同一の構成要素を称する。
【００１９】
以下、本発明の実施例により、ウエイトトレーニングマシンを説明するための図面を参考として本発明について説明する。
【００２０】
図２は、本発明の好ましい実施例によるウエイトトレーニングマシンを示した正面図であり、図３は、本発明の好ましい実施例によるウエイトトレーニングマシンの中央内側を示した正面図であり、図４は、本発明の好ましい実施例によるウエイトトレーニングマシンの内部及び部分断面図であり、図５は、本発明の好ましい実施例によるウエイトトレーニングマシンのサイド外側の正面図である。
【００２１】
本発明によるウエイトトレーニングマシンは、重量を選択して加減可能なデッドリフトまたはベントオーバーローのウエイトトレーニングを行うためのマシンである。
【００２２】
図２〜図５によれば、本発明によるウエイトトレーニングマシンは、一対の胴体部、動作部及びケーブルプーリ部を含む。
【００２３】
まず、一対の胴体部は、重量板４００が上下に積層され、動作部の両方にそれぞれ備えられる。
【００２４】
胴体部は、重量板４００、重量板受け台５０１、第１プーリ２０１、第２プーリ２０２、板作動レール柱５０２、第３プーリ２０３及び第４プーリ２０４を含む。
【００２５】
重量板４００は、中央に上下方向に棒ホール４０３が貫通形成され、側面に板固定台溝４０５が形成され、両側に上下方向に一対の板作動レール柱５０２が設置されるように柱ホール４０４が貫通形成される。
【００２６】
重量板受け台５０１は、重量板４００が積層される。
【００２７】
第１プーリ２０１は、柱結合体１０２ｃの下部に備えられる。
【００２８】
第２プーリ２０２は、重量板受け台５０１と第１プーリ２０１との間に備えられる。
【００２９】
板作動レール柱５０２は、重量板受け台５０１を貫通して備えられ、前記重量板４００が上下に移動されるようにガイドする。
【００３０】
第３プーリ２０３は、第２プーリ２０２の上部に備えられる。
【００３１】
第４プーリ２０４は、重量板４００の上部に備えられる。
【００３２】
動作部は、一対の胴体部の間に備えられて上下に動くことが可能である。
【００３３】
動作部は、マシン固定動作バー１００ｆ、バーリング１０３、バーレール柱１０１、柱結合体１０２ｃを含む。
【００３４】
マシン固定動作バー１００ｆは、胴体部の間に備えられる。
【００３５】
バーリング１０３は、マシン固定動作バー１００ｆの両方の下側にケーブルプーリ部のケーブル３０４がケーブルリング１０４により連結される。
【００３６】
バーレール柱１０１は、マシン固定動作バー１００ｆの両方の両側に、マシン固定動作バー１００ｆが上下に動くことができるように垂直に設置される。 
【００３７】
柱結合体１０２ｃは、マシン固定動作バー１００ｆの両方に結合され、バーレール柱１０１が挿入される柱移動ホール１０２ｃｈが形成される。
【００３８】
すなわち、マシン固定動作バー１００ｆを上下に動かすと、ケーブル３０４に連結された胴体部の重量板４００が上下に移動される。
【００３９】
柱結合部１０２ｆは、一対の柱結合体１０２ｃ、ヒンジ１０２ｒ、ボルト１０２ｐ、ナット１０２ｎを含む。
【００４０】
一対の柱結合体１０２ｃは、バーレール柱１０１が挿入される柱移動ホール１０２ｃｈが分離されるようになされる。
【００４１】
ヒンジ１０２ｒは、一対の柱結合体の一側の外側面にそれぞれ結合される。
【００４２】
ボルト１０２ｐは、一対の柱結合体の他側を貫通する。
【００４３】
ナット１０２ｎは、ボルト１０２ｐの一端に結合される。
【００４４】
ボルト１０２ｐとナット１０２ｎの結合によって、柱移動ホール１０２ｃｈの内周面とバーレール柱１０１の外周面との間に離隔隙間の形成が可能であり、柱結合体１０２ｃがバーレール柱１０１に結合される位置の調節が可能である。また、一対の柱結合体１０２ｃにおいてバーレール柱１０１を着脱可能である。
【００４５】
動作部は、バー受け台１００ｂをさらに含む。
【００４６】
バー受け台１００ｂは、マシン固定動作バー１００ｆの下側に設置されるが、バー受け台ボルト１００ｂｎで胴体部に設置されて上部にマシン固定動作バー１００ｆが載置される。
【００４７】
また、バー受け台１００ｂは、上側面にバーレール柱１０１の下端が差し込まれてバーレール柱１０１が固定されるバー柱固定溝１０１ｆｔが形成される。
【００４８】
ケーブルプーリ部は、胴体部と動作部とを互いに連結して動作部を上下に動かすことによって重量板４００を上下に移動させることができる。
【００４９】
ケーブルプーリ部は、固定作動棒４０１、固定台４０２及びケーブル３０４を含む。
【００５０】
固定作動棒４０１は、重量板４００の棒ホール４０３に挿入され、長手方向に棒板固定ホール４０１ｈが形成される。
【００５１】
固定台４０２は、重量板４００の板固定台溝４０５と固定作動棒４０１の棒板固定ホール４０１ｈに挿入されて重量板４００を固定作動棒４０１に結合させる。
【００５２】
ケーブル３０４は、一端が固定作動棒４０１の上部に結合され、他端が第４プーリ２０４、第３プーリ２０３、第２プーリ２０２及び第１プーリ２０１を順次通過してマシン固定動作バー１００ｆのバーリング１０３にケーブルリング１０４に結合される。
【００５３】
この時、第１プーリ２０１はバーリング１０３の直下部に備えられる。
【００５４】
マシン固定動作バー１００ｆを上下に移動させると、連結されたケーブル３０４が固定作動棒４０１を上下に移動させると同時に、固定台４０２に結合された重量板４００が上下に移動されてウエイトトレーニングが可能である。
【００５５】
固定作動棒４０１は、上側に前記ケーブル３０４が挿入されるケーブル穴４０７が形成され、外側にケーブル穴４０７へ挿入されたケーブル３０４が排出されるケーブル固定ホール４０６が形成される。
【００５６】
この時、ケーブル３０４は、一端がケーブル穴４０７へ挿入され、ケーブル固定ホール４０６へ排出された後、縛られることによって固定作動棒４０１に連結される。
【００５７】
したがって、本発明のウエイトトレーニングマシンは、使用者が動作部を上下に動作させて一対のケーブルプーリ部のケーブル３０４を移動させることによって、ケーブル３０４と連結された胴体部の重量板４００を上下に動かしてウエイトトレーニングを行うことができる。
【００５８】
すなわち、使用者がウエイトトレーニング中にデッドリフト及びベントオーバーローなどのウエイトトレーニングを行おうとする時に重量を容易に加減可能となり、基本姿勢を容易に覚えるようになる一方、ウエイトトレーニングを行うことにおいて負傷を減らすことができるようになっている。
【００５９】
本発明が属する技術分野における通常の知識を有する者は、本発明がその技術的思想や必須的な特徴を変更せずに、他の具体的な形態で実施され得るということを理解すべきである。したがって、以上のように記述した実施例は、全ての面において例示的なものであり、限定的ではないものと理解すべきである。本発明の範囲は、前記詳細な説明よりは後述する特許請求の範囲によって示され、特許請求の範囲の意味及び範囲、そしてその均等な概念から導出される全ての変更または変形された形態が本発明の範囲に含まれるものと解釈されるべきである。 
【図１】
2018531718.tif 000003
【図２】
2018531718.tif 000004
【図３】
2018531718.tif 000005
【図４】
2018531718.tif 000006
【図５】
2018531718.tif 000007
【国際調査報告】
2018531718.tif 000008
2018531718.tif 000009
2018531718.tif 000010
2018531718.tif 000011